(57)【要約】【課題】本考案は火事や地震等の災害が発生し、避難する際にベスト本体を装着し、且つ、防災頭巾を素早く取出して装着すれば、頭，首回り，肩，背中などを、落下物や飛来物及び炎から守ることが出来ると共に、多数の小物をベスト本体のポケット部に収納して携帯することが出来る防災頭巾収納ベストを提供することを目的とする。【解決手段】ベスト本体１の背面に設けた防災頭巾収納バッグ２と、端部から突起する紐状のツマミ31を設けた防災頭巾３と、から少なくとも構成し、且つ、防災頭巾３を防災頭巾収納バッグ２の内部に収納すると共に防災頭巾収納バッグ２の開口部よりも上方にツマミ31を突出させる構造とする。【選択図】図１
0003211469.tif 000002
【実用新案登録請求の範囲】
【請求項１】
ベスト本体（１）の背面に設けた防災頭巾収納バッグ（２）と、端部から突起する紐状のツマミ（31）を設けた防災頭巾（３）と、から少なくとも構成し、且つ、前記防災頭巾（３）を前記防災頭巾収納バッグ（２）の内部に収納すると共に前記防災頭巾収納バッグ（２）の開口部よりも上方に前記ツマミ（31）を突出させたことを特徴とする防災頭巾収納ベスト。
【請求項２】
前記防災頭巾収納バッグ（２）の内面に収納部（23）を設け、該収納部（23）に緩衝材（４）を収納した請求項１記載の防災頭巾収納ベスト。
【請求項３】
前記防災頭巾収納バッグ（２）の内面に収納される緩衝材（４）が、クッション袋（５）の内周面全体に配置され、該クッション袋（５）を前記防災頭巾収納バッグ（２）に収納した請求項１記載の防災頭巾収納ベスト。
【請求項４】
前記防災頭巾収納バッグ（２）の開口部に蓋部（21）を取付けると共に、該蓋部（21）の中央部から下方に向って切込み（22）が設けられた請求項１記載の防災頭巾収納ベスト。
【請求項５】
前記ベスト本体（１）の下部に、腰を覆う腰布（６）が取付けられ、且つ、前記防災頭巾（３）の下部に、肩を覆う肩掛布（７）が取付けられた請求項１記載の防災頭巾収納ベスト。
【請求項６】
前記肩掛布（７）の内面全体に、多数の小片（41）である緩衝材（４）が配置された請求項５記載の防災頭巾収納ベスト。
【請求項７】
前記ベスト本体（１）の表面に、多数のポケット部（11）が設けられた請求項１、５記載の防災頭巾収納ベスト。
【考案の詳細な説明】
【技術分野】
【０００１】
本考案は、火事や地震等の災害が発生し、避難する際に装着して、頭部や背中などが落下物や炎から保護されることが可能な防災頭巾収納ベストに関する。
【背景技術】
【０００２】
近年、防災意識が高まっており、学校等の防災教育に於いて、防災頭巾を被って避難する指導が行われている。その際、防災頭巾については、ロッカー等に保管される場合もあるが、災害時にロッカーまで行き、防災頭巾を取出して装着する迄に時間が掛り過ぎ、素早い避難が出来ないため、座布団兼用の防災頭巾が普及している。
又、職場や公共施設等に於いては、避難時に頭部を守るための防災用品としてヘルメットを常備している場合が多くあるが、そのヘルメットは所定のロッカー等に保管し、或いは、目に付く場所にヘルメットを並べて備える場合が殆どである。この場合、ヘルメットは大きくて嵩張るので、職場全員の数量を揃えていないのが現状であると共に、ヘルメット自体を備えていない職場も多くあるのが現状である。
【０００３】
又、従来の防災用品としてのヘルメットは、常時持ち歩くことが不便であるので、折畳み可能なものも提案されているが、余り普及していないのが現状である。
このため、手軽に持ち歩きできる防災頭巾が注目されている。また従来の防災頭巾に、付加価値を付与した提案が多くある。例えば、特開２０１３−２４４３２０「防災用品兼用バッグ」があり、この構造は、平時は手提げ袋とし災害発生時は頭部に被って防災頭巾とする袋本体と、袋本体の内部に収納され、防火マント若しくは寝袋として展開するように設けられた防火性布状物とで構成され、防火性布状物を二つ折り状になるように折畳み、袋本体の底部から側面部の内側に沿って配置し、該防火性布状物を防災頭巾の緩衝材としたものである。
【０００４】
しかしながら、特開２０１３−２４４３２０は、緩衝材が布状物であるため、頭部に大きな落下物や障害物が衝突した際に、その衝撃を緩和させることは困難であり、致命傷となる外傷を防止することは困難であった。また頭部以外の部位は、防火性布やシート材などの材質であるため、前記衝撃を緩和させることは殆ど期待できないものである。この場合、布やシート材を厚くすることも考えられるが、折畳んで袋本体の内部に収納する際、嵩張るものとなり、袋本体を大きくしなければならなくなる。しかし袋本体を大きくすると、日常持ち歩くのに不便なものとなり、本来の目的である携帯性が失われたものとなってしまう。
【先行技術文献】
【特許文献】
【０００５】
【特許文献１】特開２０１３−２４４３２０号公報
【考案の概要】
【考案が解決しようとする課題】
【０００６】
本考案は火事や地震等の災害が発生し、避難する際にベスト本体を素早く装着して外へ出ると共に、頭部を守る必要がある際には、防災頭巾の取出しが即座にでき、それを頭部に被ることが出来るので、落下物や炎から頭部や背中などを保護することが可能な防災頭巾収納ベストを提供することを目的とする。
【０００７】
本考案の他の目的は、多数の小物をベスト本体のポケット部に入れて携帯することが出来ると共に、ガラス等の落下物や炎から首回りや肩及び腰を保護することが可能な防災頭巾収納ベストを提供することにある。
【課題を解決するための手段】
【０００８】
本考案は上記現状に鑑みて成されたものであり、つまり、ベスト本体の背面に設けた防災頭巾収納バッグと、端部から突起する紐状のツマミを設けた防災頭巾と、から少なくとも構成し、且つ、防災頭巾を防災頭巾収納バッグの内部に収納すると共に防災頭巾収納バッグの開口部よりも上方にツマミを突出させるものとする。また前記防災頭巾収納バッグの内面に収納部を設け、該収納部に緩衝材を収納し、或いは防災頭巾収納バッグの内面に収納される緩衝材が、クッション袋の内周面全体に配置され、該クッション袋を防災頭巾収納バッグに収納するものとしても良い。又、防災頭巾収納バッグの開口部に蓋部を取付けると共に、該蓋部の中央部から下方へ向って切込みを設けると良く、ベスト本体の下部に、腰が覆われる腰布を取付け、且つ、防災頭巾の下部に、肩が覆われる肩掛布を取付けるのが好ましい。更に肩掛布の内面全体に、多数の小片である緩衝材を配置すると良く、ベスト本体の表面に、多数のポケット部を設けたものを用いるのが好ましい。
【考案の効果】
【０００９】
請求項１のようにベスト本体（１）の背面に設けた防災頭巾収納バッグ（２）と、端部から突起する紐状のツマミ（31）を設けた防災頭巾（３）と、から少なくとも構成し、且つ、防災頭巾（３）を防災頭巾収納バッグ（２）の内部に収納すると共に防災頭巾収納バッグ（２）の開口部よりも上方にツマミ（31）を突出させることにより、火事や地震等の災害が発生し、避難する際に素早くベスト本体（１）を装着して外へ出て、防災頭巾（３）のツマミ（31）を素早く摘みそれを引揚げるだけで、防災頭巾（３）が防災頭巾収納バッグ（２）の内部から即座に取出され、それを頭部に素早く被れば、落下物や炎から頭部を保護することが出来ると共に、防災頭巾収納バッグ（２）によって背中も保護される。又、防災頭巾（３）は防災頭巾収納バッグ（２）の内部に収納されているので、嵩張らず、手軽に防災頭巾（３）を携帯することが出来ると共に、ベスト本体（１）と一緒に携帯できるため、防災頭巾（３）を探す手間が不要となる。従って、本考案品を防災用品の１つとして、自宅，学校，勤務先，自動車等に設置して常備しておけば、避難時に便利なものとなる。
【００１０】
請求項２のように防災頭巾収納バッグ（２）の内面に収納部（23）を設け、そこに緩衝材（４）を収納することにより、落下するガラス片よりも大きな落下物や飛来物が防災頭巾収納バッグ（２）に衝突しても、衝撃が緩和されるため、背中を守ることが出来る。更に緩衝材（４）に断熱性のものを使用すれば、一時的な保温バッグとして使用可能なものとなる。しかも、緩衝材（４）の取外し或いは新たなものと交換することが容易なものとなる。又、必要に応じた収納部（23）にだけ緩衝材（４）を収納することが可能となるため、より軽く且つより手軽に携帯できるものとなる。
【００１１】
請求項３に示すように防災頭巾収納バッグ（２）の内面に収納される緩衝材（４）が、クッション袋（５）の内周面全体に配置され、該クッション袋（５）を防災頭巾収納バッグ（２）に収納することにより、請求項２と同様に、落下するガラス片よりも大きな落下物や飛来物が防災頭巾収納バッグ（２）に衝突しても、衝撃が緩和されるため、背中を守ることが出来る。更に緩衝材（４）に断熱性のものを使用すれば、一時的な保温バッグとして使用可能なものとなる。
【００１２】
請求項４に示すように防災頭巾収納バッグ（２）の開口部に蓋部（21）を取付けると共に該蓋部（21）の中央部から下方へ向かって切込み（22）を設けることにより、防災頭巾（３）のツマミ（31）を、防災頭巾収納バッグ（２）の蓋部（21）の切込み（22）から突出させておけば、防災頭巾（３）を取出す際、蓋部（21）を一々手で開ける必要がなく、ツマミ（31）を掴み、それを引揚げるだけで、防災頭巾（３）が防災頭巾収納バッグ（２）の内部から即座に取出され、それを頭部に被ることが素早く出来るため、落下物や炎から頭部や背中を保護することが出来る。また蓋部（21）が防災頭巾収納バッグ（２）の開口部を覆うため、防災頭巾収納バッグ（２）の内部に、雨や落下物或いは焼けカスなどが入る恐れがなくなる。
【００１３】
請求項５のようにベスト本体（１）の下部に、腰が覆われる腰布（６）を取付け、且つ、防災頭巾（３）の下部に、肩が覆われる肩掛布（７）を取付けることにより、落下物や炎から頭部から腰までを保護することが出来る。
【００１４】
請求項６のように肩掛布（７）の内面全体に、多数の小片（41）である緩衝材（４）を配置することにより、落下するガラス片よりも大きな落下物や飛来物の衝突の衝撃を緩和できるため、致命的となる外傷を軽減することができ、首回りから肩までを保護することが出来る。又、前記肩掛布（７）を取付ける防災頭巾（３）を用いると、ヘルメットの如く落下物や飛来物の衝突の衝撃を緩和でき、更に、ヘルメットに比べ、軽量で且つ折畳んでコンパクトに収納できるので、携帯性の優れたものとなる。
【００１５】
請求項７に示すようにベスト本体（１）の表面に、多数のポケット部（11）を設けることにより、多数の小物、例えば、呼子，ライト，小型ラジオなど移動しながら使用できるものを胸元のポケット部（11）に入れて携帯することが出来る。
【図面の簡単な説明】
【００１６】
【図１】本考案の実施形態の背面を示す説明図である。
【図２】本考案の実施形態の正面を示す説明図である。
【図３】本実施形態の防災頭巾収納バッグの断面を示す説明図である。
【図４】本実施形態のクッション袋と防災頭巾収納バッグを示す説明図である。
【図５】本実施形態の防災頭巾を示す説明図である。
【図６】本考案の作用を示す説明図である。
【図７】本考案の使用状態を示す説明図である。
【考案を実施するための形態】
【００１７】
本考案の実施形態を図１〜図５に基づいて説明する。（１）は表面に多数のポケット部（11）を図２のように備えたベスト本体であり、該ベスト本体（１）は釣りや登山などのアウトドア用の市販ベスト相当品を用いる。又、前記ポケット部（11）には、平面状な収納部と立体的な収納部とがあり、各ポケット部（11）には開閉可能とするためのファスナー，ボタン，ホックなどが取付けられている。尚、前記ポケット部（11）は必ずしも必要ではない。
【００１８】
（２）はベスト本体（１）の背面に固着した防災頭巾収納バッグであり（図１、図３参照）、該防災頭巾収納バッグ（２）は、防火性，防水性の素材で作られている。また防災頭巾収納バッグ（２）の開口部には蓋部（21）を取付けると共に該蓋部（21）の中央上部から下部の縁まで切込み（22）を設け、該切込み（22）の役目は、後述する防災頭巾（３）のツマミ（31）を図１や図３のように蓋部（21）の上方に突出させ易くなると共に、該ツマミ（31）を引揚げた際に、防災頭巾収納バッグ（２）の蓋部（21）を一々手で開けなくても、防災頭巾（３）がスムーズに取出せるものとなる。また前記切込み（22）の基部には、ツマミ（31）の太さより大きな穴（22a）が図１に示すように穿設されている。尚、前記蓋部（21）は必ずしも取付ける必要はなく、開口したたままの防災頭巾収納バッグ（２）としても良い。
【００１９】
（３）は防災頭巾収納バッグ（２）の内部に折畳んで収納すると共に後頭部の上端部から突起する紐状のツマミ（31）を設けた防水性，防火性の防災頭巾であり、該防災頭巾（３）には、アゴ付近で結ぶ紐（32）や側部に設けた音取入口（33）などが設けられている。また防災頭巾（３）の内周面全体に厚手で布製などの緩衝材が配置されている。前記ツマミ（31）としては、紐で図５（イ）に示す棒状のもの、或いは図５（ロ）に示すリング状のものなどに形成する。又、前記防災頭巾（３）としては、財団法人日本防災協会の「防災アルミ頭巾」と同じ材料を用いるのが好ましい。
【００２０】
（４）は防災頭巾収納バッグ（２）の内部に配置させた多数の緩衝材であり、該緩衝材（４）には、ベスト本体（１）側の内面に多数配置する小片（41）と、防災頭巾収納バッグ（２）の外側内面に配置させる２枚以上の板（42）とがある（図３参照）。また板（42）は小片（41）よりも厚手のものを使用して、落下物等の衝突の衝撃を緩和させる役目を果たす。前記小片（41）を多数配置することにより、背中にヒットし易いようにしている。又、前記小片（41）と板（42）の固定方法としては、布で防災頭巾収納バッグ（２）の内面に多数の収納部（23）を設け、そこへ小片（41）或いは板（42）を入れて配置させる。また前記緩衝材（４）の材料としては、スポンジ，ウレタン樹脂，エアクッション，ゴムなどの弾性部材を用いる。尚、板（42）の緩衝材（４）として、硬めのクッション材やベニヤ板などを配置した場合は、小片（41）として、スポンジやエアクッションなどを用いると良い。又、板（42）の緩衝材（４）が、落下物の衝突の衝撃を緩和できる強度を有している場合は、小片（41）を省略しても良い。
【００２１】
（５）は緩衝材（４）を防災頭巾収納バッグ（２）の内部に直接配置させずに、間接的に配置させるためのクッション袋であり、このクッション袋（５）は防災頭巾収納バッグ（２）と別に用意し、このクッション袋（５）の内周面全体には、緩衝材（４）を上記要領で配置させる。その時の緩衝材（４）の固定方法としては、布を縫製して収納部を作り、その収納部に入れて固定するか、或いは直接にそれらの緩衝材（４）を布で包むように縫製して固定する。またクッション袋（５）を使用する場合は、図４に示すように防災頭巾収納バッグ（２）の中に入れて収納させる。その時の防災頭巾収納バッグ（２）の内面には、小片（41）や板（42）を入れる収納部は設けない。
【００２２】
（６）はベスト本体（１）の下部に、図７に示すように一体に取付けた防水性，防火性の腰布であり、該腰布（６）は腰全体が覆われるだけの広さを有している。（７）は防災頭巾（３）の下部に、図５、図７に示すように一体に取付けた防水性，防火性の肩掛布であり、該肩掛布（７）は肩全体を覆っている。また前記肩掛布（７）の内面全体には小片（41）が多数配置され、布を縫製して小片（41）が固定されている。
【００２３】
次に本考案の使用方法について説明する。予め緩衝材（４）を内部に配置された防災頭巾収納バッグ（２）の中に、折畳んだ防災頭巾（３）を収納し、その端部から突起する紐状のツマミ（31）を蓋部（21）の穴（22a）から突出させておく。又、本考案品を、自宅，学校，勤務先，自動車等に設置して常備しておく。
【００２４】
地震等の災害が発生し、避難する際、先ず始めに本考案品を手元に用意し、ベスト本体（１）を装着して外へ避難する。その時、落下物や火災等の恐れがある時には、防災頭巾収納バッグ（２）の上部から突出しているツマミ（31）を手で掴み、それを引揚げる。すると、防災頭巾（３）は、蓋部（21）を押し上げながら防災頭巾収納バッグ（２）から取出される。その時の蓋部（21）は自然に防災頭巾収納バッグ（２）の開口部を覆うように元の位置に戻される。そして、防災頭巾（３）を頭部に装着すれば、頭部は落下物や炎から保護される。この場合、肩掛布（７）が一体に取付けられ、且つ、その内面全体に多数の緩衝材（４）が配置されている防災頭巾（３）を装着すると、頭部，首回り，肩が、落下物や炎から保護することが可能となる（図６、図７参照）。尚、前記防災頭巾（３）を防災頭巾収納バッグ（２）から取出すタイミングは、ベスト本体（１）を装着する前に取出し、ベスト本体（１）の装着と一緒に防災頭巾（３）も装着しても良い。
【００２５】
本考案を使用した後は、きれいに拭き、それを乾燥させる。そして、防災頭巾（３）を防災頭巾収納バッグ（２）に入る幅に折畳み、頭部の後端部に突出するツマミ（31）が上方になるようにして、防災頭巾収納バッグ（２）の内部に収納させる。更に、ツマミ（31）が蓋部（21）の穴（22a）から上方へ突出するようにセットしておく。
【００２６】
次に本考案の作用を図６に基づいて説明する。先ず、ベスト本体（１）を装着して外へ避難する［図６（ａ）参照］。この場合、ベストの装着は他の防災衣服に比べ、簡単で且つ素早く装着できる。次に防災頭巾（３）を防災頭巾収納バッグ（２）から取出して頭部に装着する場合は、腕を背中の方へ回し、手でツマミ（31）を掴み、それを少し引揚げると、蓋部（21）を押し上げながら防災頭巾（３）の上端部（32）が図６（ｂ）のように持上げられる。そして、更にツマミ（31）を引揚げると、防災頭巾（３）は防災頭巾収納バッグ（２）から図６（ｃ）のように取出されると共に、蓋部（21）は落下して防災頭巾収納バッグ（２）の開口部を覆うように元の位置に戻される。その後、折畳んだ防災頭巾（３）を広げて頭部に被り、紐（33）を結び、肩掛布（７）が肩全体に覆われると、図６（ａ）に示す１点鎖線のようになり、この防災頭巾（３）の装着によって、頭部，首回り，肩が保護される。更に緩衝材（４）を内部に配置された防災頭巾収納バッグ（２）によって、背中が保護される。しかも、図７に示すように下部に腰布（６）を一体に取付けたベスト本体（１）を装着すれば、頭部や背中に落下物或いは飛来物の衝撃を緩和した後に、それらの物が腰に当っても、腰布（６）に沿って地上に落ちるため、腰を強打する恐れはなく、且つ、炎に対しても腰が保護されるものとなる。
【００２７】
このように本考案は、折畳んだ防災頭巾（３）を防災頭巾収納バッグ（２）から素早く取出して防災頭巾（３）を被ると共にベスト本体（１）を装着すれば、頭，首回り，肩，背中，腰を落下物や飛来物及び炎から守ることが出来る。又、ベスト本体（１）の胸元のポケット部（11）に、呼子，ライト，小型ラジオなどの小物を入れておけば、移動しながらそれらが使用できるので便利である。更に本考案品は、防災頭巾収納バッグ（２），防災頭巾（３），肩掛布（７）などに緩衝材（４）が配置されたものを用いれば、防水性や防火性だけでなく断熱性も有するものとなり、冬場の災害時に本考案品を装着すれば、防寒頭巾や防寒着となり、更には山登り用品として使用することも可能である。また防災頭巾（３）を取出した防災頭巾収納バッグ（２）の内部に、マスク，軍手，携帯用簡易トイレ，防寒シート，簡易寝袋などを必要に応じて入れておけば、避難した場所に於いて便利に使用できる。
【符号の説明】
【００２８】
１  ベスト本体
11  ポケット部
２  防災頭巾収納バッグ
21  蓋部
22  切込み
23  収納部
３  防災頭巾
31  ツマミ
４  緩衝材
41  小片
５  クッション袋
６  腰布
７  肩掛布
【図１】
0003211469.tif 000003
【図２】
0003211469.tif 000004
【図３】
0003211469.tif 000005
【図４】
0003211469.tif 000006
【図５】
0003211469.tif 000007
【図６】
0003211469.tif 000008
【図７】
0003211469.tif 000009